(57)【要約】【課題】本発明は、プラズマディスプレイパネルの表示パターンが横帯パターンとなったときでも、Ｙ駆動回路の発熱を抑制するプラズマディスプレイパネルの駆動方法及びプラズマディスプレイ装置を提供することを目的とする。【解決手段】プラズマディスプレイパネル１０の駆動方法であって、  入力データから、アドレス電極Ａｊに印加するアドレスパルスのオン・オフ切り替えスイッチング回数をカウントしてアドレススイッチング負荷を検出し、  前記アドレスパルスが、隣接する前記アドレス電極間でオン信号とオフ信号が隣接して出力される数をカウントして隣接アドレスデータ間表示切替負荷を検出し、  前記アドレススイッチング負荷が所定の第１の閾値以上であり、かつ前記隣接アドレスデータ間表示切替負荷が所定の第２の閾値以下のときには、サブフィールドＳＦの一部を削除してサブフィールド数を減少させる制御を行うことを特徴とする。【選択図】図６
2009193019.tif 000002
【特許請求の範囲】
【請求項１】
延在する複数のアドレス電極及びＹ電極を有し、前記アドレス電極と前記Ｙ電極が平面的に交わる位置に放電セルが形成されたプラズマディスプレイパネルを、１フィールドを複数に分割したサブフィールドにより駆動するプラズマディスプレイパネルの駆動方法であって、
入力データから、前記アドレス電極に印加するアドレスパルスのオン・オフ切り替えスイッチング回数をカウントしてアドレススイッチング負荷を検出し、
前記アドレスパルスが、隣接する前記アドレス電極間でオン・オフが異なって出力される数をカウントして隣接アドレスデータ間表示切替負荷を検出し、
前記アドレススイッチング負荷が所定の第１の閾値以上であり、かつ前記隣接アドレスデータ間表示切替負荷が所定の第２の閾値以下のときには、前記サブフィールドの一部を削除してサブフィールド数を減少させる制御を行うことを特徴とするプラズマディスプレイパネルの駆動方法。
【請求項２】
前記アドレススイッチング負荷及び前記隣接アドレスデータ間表示切替負荷の検出は、１フィールドに対して行われることを特徴とする請求項１に記載のプラズマディスプレイパネルの駆動方法。
【請求項３】
前記隣接アドレスデータ間表示切替負荷を前記アドレススイッチング負荷で除して負荷比を算出し、該負荷比が前記第１の閾値と前記第２の閾値で定められる負荷比閾値以下か否かに基づいて、前記サブフィールド数を減少させる制御を実行することを特徴とする請求項１又は２に記載のプラズマディスプレイパネルの駆動方法。
【請求項４】
前記第１の閾値は、１フィールドの前記アドレスパルスのスイッチング回数最大値の３６％に設定されたことを特徴とする請求項１乃至３のいずれか一項に記載のプラズマディスプレイパネルの駆動方法。
【請求項５】
前記第２の閾値は、１フィールドの前記アドレスパルスで、隣接する前記アドレス電極間でオン・オフが異なって出力され得る最大数の２％に設定されたことを特徴とする請求項１乃至４のいずれか一項に記載のプラズマディスプレイパネルの駆動方法。
【請求項６】
前記サブフィールド数を減少させる制御は、削除したサブフィールドが有する輝度を残りのサブフィールドに分配して行うことを特徴とする請求項１乃至５のいずれか一項に記載のプラズマディススプレイパネルの駆動方法。
【請求項７】
延在する複数のアドレス電極及びＹ電極を有し、前記アドレス電極と前記Ｙ電極が平面的に交わる位置に放電セルが形成されたプラズマディスプレイパネルと、
該プラズマディスプレイパネルを、１フィールドを複数に分割したサブフィールドにより駆動する制御を行う制御回路と、
前記アドレス電極に印加するアドレスパルスのオン・オフ切り替えスイッチング回数をカウントしてアドレススイッチング負荷を検出するアドレススイッチング負荷検出手段と、
前記アドレスパルスが、隣接する前記アドレス電極間でオン・オフが異なって出力される数をカウントして隣接アドレスデータ間表示切替負荷を検出する隣接アドレスデータ間表示切替負荷検出手段と、
前記アドレススイッチング負荷が所定の第１の閾値より大きく、かつ前記隣接アドレスデータ間表示切替負荷が所定の第２の閾値より小さいときに、前記サブフィールドの一部を削除し、サブフィールド数を減少させる制御を行うサブフィールド数減少制御手段と、を有することを特徴とするプラズマディスプレイ装置。
【請求項８】
前記アドレス負荷検出手段及び前記隣接アドレスデータ間表示切替負荷検出手段は、１フィールドに対して前記アドレススイッチング負荷及び前記隣接アドレスデータ間表示切替負荷の検出を行うことを特徴とする請求項７に記載のプラズマディスプレイ装置。
【請求項９】
前記隣接アドレスデータ間表示切替負荷を前記アドレススイッチング負荷で除して負荷比を算出する負荷比演算手段を更に備え、
前記サブフィールド数減少制御手段は、該負荷比が前記第１の閾値と前記第２の閾値で定められる負荷比閾値以下か否かに基づいて、前記サブフィールド数を減少させる制御を実行することを特徴とする請求項７又は８に記載のプラズマディスプレイ装置。
【請求項１０】
前記第１の閾値は、１フィールドの前記アドレスパルスのスイッチング回数最大値の３６％に設定されたことを特徴とする請求項７乃至９のいずれか一項に記載のプラズマディスプレイ装置。
【請求項１１】
前記第２の閾値は、１フィールドの前記アドレスパルスで、隣接する前記アドレス電極のオン・オフが異なって出力され得る最大数の２％に設定されたことを特徴とする請求項７乃至１０のいずれか一項に記載のプラズマディスプレイ装置。
【請求項１２】
前記サブフィールド数減少制御制御は、削除したサブフィールドが有する輝度を残りのサブフィールドに分配することを特徴とする請求項７乃至１１のいずれか一項に記載のプラズマディススプレイ装置。
【発明の詳細な説明】
【技術分野】
【０００１】
本発明は、プラズマディスプレイパネルの駆動方法及びプラズマディスプレイ装置に関する。
【背景技術】
【０００２】
従来から、動画等の表示データの大きな変化によりアドレス電流が変動した場合でも、安定したアドレス周波数制御を可能とすべく、１つのフレームを複数のサブフィールドにより構成し、複数のサブフィールドの組み合わせにより２段階以上の階調表示または多色表示を行うようにした平面表示装置であって、１フレーム単位で消費されるアドレス電流値を検出するアドレス電流検出手段、アドレス電流検出手段により検出されたアドレス電流値を、少なくとも２つの基準電流値と比較する比較手段、および、比較手段の出力に応じて、表示フレーム中のアドレス周波数を制御するアドレス周波数制御手段を具備するように構成した平面表示装置が知られている（例えば、特許文献１参照）。
【０００３】
これにより、アドレス電流の増加に対してアドレス周波数の制御を行った場合において、表示データの書き換わりにより電流値が変動した場合でも、周波数制御による表示特性の変動による画面の違和感等を和らげることができる。
【特許文献１】特開平８−２６３００７号公報
【発明の開示】
【発明が解決しようとする課題】
【０００４】
しかしながら、上述の特許文献１に記載の構成では、アドレス電流が原因で表示特性の変動が発生する場合には、これを防ぐような制御を行うことはできるが、他の原因による表示特性の変動を防ぐことはできないという問題があった。
【０００５】
ところで、プラズマディスプレイパネルを用いたプラズマディスプレイ装置において、アドレス期間には、表示特性の変動以外にも、駆動回路の発熱の問題が発生する場合がある。かかる場合に、特許文献１に記載の構成を適用しようとすると、アドレス電流が原因で発熱する回路を保護することはできても、それ以外の原因による発熱を保護することができないという問題がやはり生ずる。例えば、プラズマディスプレイパネル上に、横１列が黒、白、黒、白・・・と交互に表示される横帯と呼ばれる表示パターンを表示させる場合、アドレス期間においてＹ電極がスキャンを行う際に、アドレスパルスがスイッチングして印加されると、Ｙ駆動回路とアドレス駆動回路の間を充放電のための電流が流れ、回路上の素子が発熱する。つまり、横方向に隣接する放電セルのアドレス電極間の充放電電流が少なく、アドレスパルスのスイッチング回数が多い横帯パターンにおいては、Ｙ駆動回路とアドレス駆動回路の間の電流が最大となってしまう。
【０００６】
図９は、プラズマディスプレイパネル１０に表示された横帯パターンを示した図である。図９において、プラズマディスプレイパネル１０の横方向に黒と白のラインが交互に延在し、縞模様が表示されている。このような横帯パターンの映像パターンのときに、Ｙ駆動回路の発熱が最大となる現象が発見されている。尚、この発熱の原因となる横帯の間隔（横帯の繰返し周期）は、１ライン毎の所謂順次走査においては上記のように、１ライン交互に黒と白となる表示画像の場合である。また、１ライン置きや数ライン置きの所謂飛び越しスキャンでは、飛び越しの間隔に対応した横帯の繰返し周期となる表示画像の場合にＹ駆動回路の発熱が最大となる。
【０００７】
図１０は、プラズマディスプレイパネル１０上に、横帯パターンが表示されたときのアドレス放電について説明するための図である。図１０において、プラズマディスプレイ装置のプラズマディスプレイパネル１０のアドレス電極ＡｊとＹ電極Ｙｉの一部分が示されている。
【０００８】
図１０において、縦方向に延在するアドレス電極ＡｊはＡ１〜Ａ６までが示されており、横方向に延在するＹ電極ＹｉもＹ１〜Ｙ６までが示されているが、両者が平面的に交差している位置には、放電セルが形成されている。また、図１０において、それぞれのＹ電極Ｙｉに印加されたパルスと、アドレス電極Ａｊに印加されたアドレスパルスが、各々の電極位置に対応して示されている。アドレス放電は、横方向に複数本配置されたアドレス電極Ａｊのうち、発光させるセルのアドレス電極に正のアドレスパルスＶａを印加し、Ｙ電極１本ずつに順次負のスキャンパルス−Ｖｙを印加してゆくことにより、アドレス電極ＡｊとＹ電極Ｙｉの電位差がＶａ−（−Ｖｙ）＝Ｖａ＋Ｖｙとなった放電セルにアドレス放電が発生し（図１０中、○で表示）、アドレス電極にアドレスパルスが印加されずアドレス電極ＡｊとＹ電極Ｙｉの電位差が０−（−Ｖｙ）＝Ｖｙにしかならない放電セルにはアドレス放電が発生しない（図１０中、×で表示）。
【０００９】
よって、Ｙ電極Ｙ１においては、アドレス電極Ａ１〜Ａ６にアドレスパルスＶａが印加され、Ｙ１にも−Ｖｙのスキャンパルスが印加されるので、総てのＹ１ラインの放電セルにアドレス放電が発生する。Ｙ電極Ｙ２においては、Ｙ電極Ｙ２に−Ｖｙのスキャンパルスが印加されているが、アドレスパルスは印加されず、アドレス電極は０電位であるので、アドレス放電は発生しない。よって、Ｙ２ラインの総ての放電セルにアドレス放電が発生しない。このような動作を、アドレスパルスを順次印加するとともに、スキャンされるＹ電極Ｙｉに対して繰り返せば、画面全体について、アドレス放電を発生させる点灯セルの選択を行うことができる。そして、図１０に示すように、縦方向のアドレス電極Ａ１〜Ａ６の各々の列に着目すると点灯と非点灯が交互に入れ替わり、かつ横方向のＹ電極Ｙ１〜Ｙ６の各々の行に着目すると、ライン毎に総ての放電セルが点灯又は非点灯のいずれかとなっている横帯パターンのときに、Ｙ駆動回路の発熱が最も大きいことが知られている。
【００１０】
次に、図１１を用いて、図９及び図１０に示した横帯パターンとのときに、Ｙ駆動回路の発熱が大きくなる原因について説明する。図１１は、プラズマディスプレイ装置において、プラズマディスプレイパネル１０を駆動させるためのアドレス駆動回路２０、Ｘ駆動回路３０及びＹ駆動回路４０とプラズマディスプレイパネル１０の回路構成を示した図である。
【００１１】
図１１において、プラズマディスプレイパネル１０は、各々の放電セルＣｉｊが、Ｘ電極ＸｉとＹ電極Ｙｉとの間で容量性負荷を構成するとともに、アドレス電極ＡｊとＸ電極Ｘｉとの間でも容量性負荷Ｃａｘ、アドレス電極ＡｊとＹ電極Ｙｉとの間でも容量性負荷Ｃａｙを構成している。今まで、アドレス期間におけるアドレス放電についての課題を提示しているので、ここではＹ駆動回路４０とアドレス駆動回路２０との関係について考える。
【００１２】
図１１において、横帯パターンがプラズマディスプレイパネル１０上にアドレス選択されるときのアドレス駆動回路２０の動作は、図１０で説明したように、時間の経過とともに、アドレスパルスＶａが接地電位０〔Ｖ〕と交互に印加されるスイッチングパターンである。よって、アドレス駆動回路２０のスイッチング素子Ｍａ１、Ｍａ２が交互にオン・オフして切り替わり、スイッチング素子Ｍａ１がオンかつスイッチング素子Ｍａ２がオフでアドレスパルスＶａを出力、スイッチング素子Ｍａ１がオフかつスイッチング素子Ｍａ２がオンで接地電位を出力するスイッチングパターンである。
【００１３】
また、Ｙ駆動回路４０は、スキャンドライバ４１と、サステインドライバ４２とを備え、スキャンドライバ４１はスイッチング素子Ｍｙ１、Ｍｙ２、サステインドライバ４２はスイッチング素子Ｍｙ３、Ｍｙ４を備える。スキャンドライバ４１は、スキャンパルスを接地電位に保つときは、スイッチング素子Ｍｙ１をオンかつスイッチング素子Ｍｙ２をオフとし、−Ｖｙの負パルスを印加するときには、スイッチング素子Ｍｙ１をオフかつスイッチング素子Ｍｙ２をオンとする。
【００１４】
ここで、アドレス期間において、アドレス駆動回路２０のスイッチング素子Ｍａ１、Ｍａ２は、交互にオン、オフを繰り返し、容量性負荷Ｃａｙに印加される電位は、接地電位とＶａとに交互に固定される。一方、Ｙ駆動回路４０のスキャンドライバ４１は、スキャンを行う場合には、−Ｖｙを出力し、スキャンを行っていない状態のときには、接地電位を出力する。ここで、容量性負荷Ｃａｙには、両端の電圧Ｖに応じてＱ＝Ｃａｙ・Ｖの電荷が蓄積されるが、Ｃａｙの容量は一定であるから、この電荷Ｑは、両端の電圧Ｖが変化する度に変化する。そして、変化した電荷Ｑは、電流となってＹ駆動回路４０の抵抗成分Ｒを流れる。ここで、抵抗Ｒを流れる電流が多いと、抵抗Ｒで熱が発生し、Ｙ駆動回路４０は発熱してしまう。このような抵抗Ｒを流れる電流は、アドレス駆動回路２０の出力電位が頻繁にスイッチングにより切り替わり、かつＣａｙに蓄えられる電荷量が多い場合に大きくなるので、横方向のラインが総て同電位のときに、最も大きな容量のＹ電極Ｙｉを構成し、最大になると考えられる。よって、図９及び図１０に示した横帯パターンのときに、Ｙ駆動回路４０の発熱が最大となる。
【００１５】
なお、サステインドライバ４２については、スイッチング素子Ｍｙ３をオンかつスイッチング素子Ｍｙ４をオフとしてサステインパルスＶｓを放電セルＣｉｊに印加し、スイッチング素子Ｍｙ３をオフかつスイッチング素子Ｍｙ４をオンとして接地電位を印加する。この点、Ｘ駆動回路３０も同様であり、スイッチング素子Ｍｘ１をオンかつスイッチング素子Ｍｘ２をオフとしてサステインパルスＶｓを放電セルＣｉｊに印加し、スイッチング素子Ｍｘ１をオフかつスイッチング素子Ｍｘ２をオンとして接地電位を印加する。Ｙ電極ＹｉとＸ電極Ｘｉに交互にサステインパルスＶｓを印加し、サステイン放電を発生させることができる。サステイン放電の際には、横帯パターンの表示パターンであっても、上述のようなＹ駆動回路の発熱の問題は発生しない。
【００１６】
しかしながら、今まで説明したように、アドレス期間においては、従来のプラズマディスプレイ装置においては、横帯パターンの表示パターンとなったときに、Ｙ駆動回路４０が発熱するという問題を生ずる。
【００１７】
そこで、本発明は、プラズマディスプレイパネルの表示パターンが横帯パターン又はこれに近似する表示パターンとなったときでも、アドレス期間において、Ｙ駆動回路の発熱を抑制するプラズマディスプレイパネルの駆動方法及びプラズマディスプレイ装置を提供することを目的とする。
【課題を解決するための手段】
【００１８】
上記目的を達成するため、第１の発明に係るプラズマディスプレイパネルの駆動方法は、延在する複数のアドレス電極及びＹ電極を有し、前記アドレス電極と前記Ｙ電極が平面的に交わる位置に放電セルが形成されたプラズマディスプレイパネルを、１フィールドを複数に分割したサブフィールドにより駆動するプラズマディスプレイパネルの駆動方法であって、
入力データから、前記アドレス電極に印加するアドレスパルスのオン・オフ切り替えスイッチング回数をカウントしてアドレススイッチング負荷を検出し、
前記アドレスパルスが、隣接する前記アドレス電極間でオン信号とオフ信号が隣接して出力される数をカウントして隣接アドレスデータ間表示切替負荷を検出し、
前記アドレススイッチング負荷が所定の第１の閾値以上であり、かつ前記隣接アドレスデータ間表示切替負荷が所定の第２の閾値以下のときには、前記サブフィールドの一部を削除してサブフィールド数を減少させる制御を行うことを特徴とする。
【００１９】
これにより、アドレス電極に印加するアドレスパルスが縦方向では交互となり、横方向では同一種類のオン・オフ信号が出力され、いわゆる横帯の表示パターン又は横帯に近い表示パターンのときに、これをアドレスパルスの出力パターンから検出し、電流を減少させてＹ駆動回路の発熱を防止することができる。
【００２０】
第２の発明は、第１の発明に係るプラズマディスプレイパネルの駆動方法において、
前記アドレススイッチング負荷及び前記隣接アドレスデータ間表示切替負荷の検出は、１フィールドに対して行われることを特徴とする。
【００２１】
これにより、１フィールドに対する横帯パターンを検出するので、確実に横帯パターンを検出し、適切な単位で制御を実行することができる。
【００２２】
第３の発明は、第１又は第２の発明に係るプラズマディスプレイパネルの駆動方法において、
前記隣接アドレスデータ間表示切替負荷を前記アドレススイッチング負荷で除して負荷比を算出し、該負荷比が前記第１の閾値と前記第２の閾値で定められる負荷比閾値以下か否かに基づいて、前記サブフィールド数を減少させる制御を実行することを特徴とする。
【００２３】
これにより、１つの閾値と１つの変数により制御の実行の可否を判定するので、実行判定が容易になる。
【００２４】
第４の発明は、第１〜３のいずれかの発明に係るプラズマディスプレイパネルの駆動方法において、
前記第１の閾値は、１フィールドの前記アドレスパルスのスイッチング回数最大値の３６％に設定されたことを特徴とする。
【００２５】
これにより、スイッチング回数が多いときには、完全な横帯パターンでなくても発熱を防止する制御を実行することができ、本制御を幅広く適用することができる。
【００２６】
第５の発明は、第１〜４のいずれかの発明に係るプラズマディスプレイパネルの駆動方法において、
前記第２の閾値は、１フィールドの前記アドレスパルスで、隣接する前記アドレス電極間でオン・オフが異なって出力され得る最大数の２％に設定されたことを特徴とする。
【００２７】
これにより、横方向については、殆ど縞模様状態の表示パターンが形成されている場合にのみＹ駆動回路の発熱を低下させる本制御を実行させることができ、必要な場合にのみ本制御を適用させることができる。
【００２８】
第６の発明は、第１〜５のいずれかの発明に係るプラズマディススプレイパネルの駆動方法において、
前記サブフィールド数を減少させる制御は、削除したサブフィールドが有する輝度を残りのサブフィールドに分配して行うことを特徴とする。
【００２９】
これにより、本制御を実行した場合も、１フィールドの期間は本制御を適用しない場合と同一にするともに、１フィールドの輝度を低下させず、かるフィールド内で均等に輝度を分配することができ、違和感の無い画像を表示することができる。
【００３０】
第７の発明に係るプラズマディスプレイ装置は、延在する複数のアドレス電極及びＹ電極を有し、前記アドレス電極と前記Ｙ電極が平面的に交わる位置に放電セルが形成されたプラズマディスプレイパネルと、
該プラズマディスプレイパネルを、１フィールドを複数に分割したサブフィールドにより駆動する制御を行う制御回路と、
前記アドレス電極に印加するアドレスパルスのオン・オフ切り替えスイッチング回数をカウントしてアドレススイッチング負荷を検出するアドレススイッチング負荷検出手段と、
前記アドレスパルスが、隣接する前記アドレス電極間でオン・オフが異なって出力される数をカウントして隣接アドレスデータ間表示切替負荷を検出する隣接アドレスデータ間表示切替負荷検出手段と、
前記アドレススイッチング負荷が所定の第１の閾値より大きく、かつ前記隣接アドレスデータ間表示切替負荷が所定の第２の閾値より小さいときに、前記サブフィールドの一部を削除し、サブフィールド数を減少させる制御を行うサブフィールド数減少制御手段と、を有することを特徴とする。
【００３１】
これにより、プラズマディスプレイパネルに横帯パターン又はこれに近似する表示パターンが表示されるのを確実に検出し、Ｙ駆動回路の発熱を防止する制御を適切に実行することができる。
【００３２】
第８の発明は、第７の発明に係るプラズマディスプレイ装置において、
前記アドレス負荷検出手段及び前記隣接アドレスデータ間表示切替負荷検出手段は、１フィールドに対して前記アドレススイッチング負荷及び前記隣接アドレスデータ間表示切替負荷の検出を行うことを特徴とする。
【００３３】
これにより、１フィールドに対して横帯パターン又はこれに近似する表示パターンを検出することができ、画像表示単位で確実に横帯パターン検出を行うことができる。
【００３４】
第９の発明は、第７又は第８の発明に係るプラズマディスプレイ装置において、
前記隣接アドレスデータ間表示切替負荷を前記アドレススイッチング負荷で除して負荷比を算出する負荷比演算手段を更に備え、
前記サブフィールド数減少制御手段は、該負荷比が前記第１の閾値と前記第２の閾値で定められる負荷比閾値以下か否かに基づいて、前記サブフィールド数を減少させる制御を実行することを特徴とする。
【００３５】
これにより、１の変数と１の閾値との対比で制御実行の可否を判定することができ、制御実行判定を容易に行うことができる。
【００３６】
第１０の発明は、第７〜９のいずれかの発明に係るプラズマディスプレイ装置において、
前記第１の閾値は、１フィールドの前記アドレスパルスのスイッチング回数最大値の３６％に設定されたことを特徴とする。
【００３７】
これにより、完全な横帯パターンに該当しなくても、発熱のおそれの大きい近似パターンについては確実に発熱を防止することができ、広く本制御を適用することができる。
【００３８】
第１１の発明は、第７〜１０のいずれかの発明に係るプラズマディスプレイ装置において、
前記第２の閾値は、１フィールドの前記アドレスパルスで、隣接する前記アドレス電極のオン・オフが異なって出力され得る最大数の２％に設定されたことを特徴とする。
【００３９】
これにより、横方向については、殆どオン、オフ同一種類の信号で縞模様状態の表示パターンのときに発熱を防止する制御を行うことができ、必要な場合に適切に発熱防止制御を行うことができる。
【００４０】
第１２の発明は、第７〜１１のいずれかの発明に係るプラズマディススプレイ装置において、
前記サブフィールド数減少制御制御は、削除したサブフィールドが有する輝度を残りのサブフィールドに分配することを特徴とする。
【００４１】
これにより、１フィールドの期間を制御適用以前と等しくすることができるとともに、輝度も制御適用以前から低下させず、かつ違和感を与えずに輝度分配を行うことができる。
【発明の効果】
【００４２】
本発明によれば、横帯パターン又はこれに近似する表示パターンが表示されたときに、Ｙ駆動回路の発熱を防止することができる。
【発明を実施するための最良の形態】
【００４３】
以下、図面を参照して、本発明を実施するための最良の形態の説明を行う。
【００４４】
図１は、本発明を適用した実施例に係るプラズマディスプレイ装置の全体構成図である。図１において、本実施例に係るプラズマディスプレイ装置は、プラズマディスプレイパネル１０と、アドレス駆動回路２０と、Ｘ駆動回路３０と、Ｙ駆動回路４０と、制御回路５０とを有する。
【００４５】
プラズマディスプレイパネル１０は、画像を表示するための表示パネルである。プラズマディスプレイパネル１０は、横方向に延在する複数のＸ電極Ｘ１，Ｘ２，Ｘ３，・・・及び複数のＹ電極Ｙ１，Ｙ２，Ｙ３，・・・を備える。以下、Ｘ電極Ｘ１，Ｘ２，Ｘ３，・・・の各々を又はそれらの総称を、Ｘ電極Ｘｉといい、Ｙ電極Ｙ１，Ｙ２，Ｙ３，・・・の各々を又はそれらの総称を、Ｙ電極Ｙｉという。ｉは添え字を意味する。また、プラズマディスプレイパネル１０は、縦方向に延在する複数のアドレス電極Ａ１，Ａ２，Ａ３，・・・を備える。以下、アドレス電極Ａ１，Ａ２，Ａ３，・・・の各々を又はそれらの総称を、アドレス電極Ａｊといい、ｊは添え字を意味する。横方向に延在するＸ電極Ｘｉ及びＹ電極Ｙｉは、縦方向には交互に配置される。Ｘ電極Ｘｉは、維持電極と呼んでもよく、Ｙ電極Ｙｉは、走査電極と呼んでもよい。平面的に、Ｘ電極Ｘｉ、Ｙ電極Ｙｉ及びアドレス電極Ａｊが交わる位置には、放電セルＣｉｊが形成されている。この放電セルＣｉｊが画素に対応し、プラズマディスプレイパネル１０は２次元画像を表示することができる。表示セルＣｉｊ内のＸ電極Ｘｉ及びＹ電極Ｙｉは、その間に空間を有し、容量性負荷を構成する。
【００４６】
図２は、プラズマディスプレイパネル１０の断面構成例を示した図である。図２において、プラズマディスプレイパネル１０は、上面基板１１と背面基板１５を有し、これらが対向して貼り合わされることにより構成される。
【００４７】
上面基板１１は、前面ガラス基板１２を備え、その内側表面に複数のＸ電極Ｘｉ及びＹ電極Ｙｉが画面の横方向に延在し、縦方向に交互に配置されるように形成されている。そして、Ｘ電極Ｘｉ及びＹ電極Ｙｉの上を誘電体層１３及び保護膜１４が覆って、上面基板１１が構成される。
【００４８】
背面基板１５は、外側にガラス基板１６を有し、ガラス基板１６の表面上には、複数のアドレス電極Ａｊが画面の縦方向に延在して形成され、その上を誘電体層１７が覆っている。誘電体層１７の上には、隆起した隔壁（リブ）１８が形成されている。隔壁１８により、上面基板１１と背面基板１５の対向面に仕切りが形成され、これにより複数の放電セルＣｉｊが区画して形成される。上面基板１１のＸ電極Ｘｉ及びＹ電極Ｙｉと、アドレス電極Ａｊが交わる位置の隔壁内の領域が、１つの放電セルＣｉｊを形成することになる。また、放電セルＣｉｊの表面、つまり隣接する隔壁１８間には、表面に蛍光体１９が形成される。蛍光体１９は、赤色蛍光体１９Ｒ、緑色蛍光体１９Ｇ及び青色蛍光体１９Ｂの３種類があり、これら３色で１画素を形成する。
【００４９】
放電セルＣｉｊの放電は、アドレス電極ＡｊとＹ電極Ｙｉにパルスが印加されたときに、アドレス放電が発生し、放電セルＣｉｊ内に、アドレス放電による壁電荷が蓄積される。アドレス放電の際には、点灯させる放電セルＣｉｊについては、アドレスパルスのオン信号が印加され、点灯させない非点灯セルＣｉｊについては、アドレスパルスのオフ信号が印加され、Ａ１〜Ａｊの総てのアドレス電極に点灯・非点灯に応じたアドレスパルスが同時に印加される。そして、アドレス選択を行うＹ電極Ｙｉのラインについて、Ｙ１〜Ｙｉまで、順次スキャンパルスが印加され、アドレス電極Ａｊのオン・オフ信号に応じて、オン信号が印加された放電セルＣｉｊにはアドレス放電が発生し、オフ信号が印加された放電セルＣｉｊには、アドレス放電が発生しない。このアドレス放電を発生させ、点灯させる放電セルＣｉｊを選択する期間を、アドレス期間という。
【００５０】
次いで、Ｘ電極ＸｉとＹ電極Ｙｉには、各々サステインパルスが印加され、アドレス放電があった放電セルＣｉｊは、十分な壁電荷を蓄えているのでサステイン放電が発生して点灯し、アドレス放電が発生していない放電セルＣｉｊは、サステイン放電が発生せず非点灯となる。なお、このサステイン放電が発生する期間を、サステイン期間と呼ぶ。
【００５１】
例えば、本実施例に係るプラズマディスプレイ装置には、図２に示したような構成のプラズマディスプレイパネル１０が適用されてもよい。なお、本実施例に係るプラズマディスプレイパネル１０の駆動方法及びプラズマディスプレイ装置は、アドレス放電を行う種々のプラズマディスプレイパネル１０に適用可能であるので、図２に示した形態のプラズマディスプレイパネル１０以外にも、アドレス放電を行うプラズマディスプレイパネル１０であれば、種々の態様のプラズマディスプレイパネル１０を適用することができる。
【００５２】
図１に戻り、他の構成要素の説明を行う。
【００５３】
アドレス駆動回路２０は、アドレス電極Ａｊを駆動するための回路であり、アドレス電極Ａｊに所定の電圧を有するアドレスパルスを供給し、アドレス放電を発生させる。
【００５４】
Ｙ駆動回路４０は、Ｙ電極Ｙｉを駆動するための回路であり、スキャンドライバ４１とサステインドライバ４２とを有する。
【００５５】
スキャンドライバ４１は、制御回路５０及びサステインドライバ４２の制御に応じて、Ｙ電極Ｙｉに所定の電圧を有するスキャンパルスを供給し、アドレス放電を発生させる。
【００５６】
サステインドライバ４２は、Ｙ電極Ｙｉにそれぞれ同一の電圧を有するサステインパルスを供給し、サステイン放電を発生させる。
【００５７】
Ｘ駆動回路３０は、Ｘ電極Ｘｉを駆動するための回路であり、Ｘ電極Ｘｉにそれぞれ同一の電圧を有するサステインパルスを供給し、サステイン放電を発生させる。各Ｘ電極Ｘｉは相互接続され、同一の電圧レベルを有する。
【００５８】
制御回路５０は、アドレス駆動回路２０、Ｘ駆動回路３０及びＹ駆動回路４０を制御し、これらを駆動させる回路である。一般的な画像信号である１フレーム又は１フィールドの入力信号Ｓが入力されたら、制御回路５０は、１フレーム又は１フィールドの画像を複数のサブフィールドに分割するサブフィールド変換を行い、アドレス駆動回路２０及びＹ駆動回路４０のスキャンドライバ４１を駆動させるのに必要なアドレスデータ及びスキャンデータを発生させる。また、制御回路５０は、Ｘ駆動回路３０及びＹ駆動回路４０のサステインドライバ４２を駆動させるのに必要なサステインデータを発生させる。
【００５９】
本実施例に係るプラズマディスプレイ装置の制御回路５０は、プラズマディスプレイパネル１０の表示画像が横帯パターン又はこれに近似する画像となったときに、Ｙ駆動回路４０の発熱を低減すべく、更にアドレススイッチング負荷検出手段５１と、隣接アドレスデータ間表示切替負荷検出手段５２と、負荷比演算手段５３と、サブフィールド数減少制御手段５４とを備える。
【００６０】
アドレススイッチング負荷検出手段５１は、入力信号Ｓによる入力データから、アドレス駆動回路２０に送られるアドレスデータの生成時において、アドレスパルスのオン・オフが切り替わる回数をカウントする手段である。図１０において説明したように、アドレスパルスは、横帯パターンを表示する場合、１ライン毎にオン、オフが切り替わるアドレスパルスを印加することになるので、アドレススイッチング負荷検出手段５１は、そのようなアドレスパルスのオン・オフ切り替わり回数をカウントして検出し、入力データが横帯パターンの条件を満たすか否かを検出する。なお、アドレスパルスは、各アドレス電極Ａｊ毎にＹ電極Ｙｉのスキャンに同期して出力されるので、アドレススイッチング負荷検出手段５１は、総てのアドレス電極Ａｊについて出力されるアドレスパルスのオン・オフ切り替わり回数をカウントして合計するようにしてよい。つまり、アドレススイッチング負荷検出手段５１は、Ｙ電極Ｙｉのスキャンに同期して、アドレススイッチング負荷を検出してゆくことになる。通常の制御において、アドレススイッチング負荷は、１画面、１サブフィールド又は１フィールド毎に検出できれば十分であるが、アドレスパルスの出力回数と、Ｙ電極Ｙｉのスキャンライン数は対応しているので、１画面の途中段階においても、本実施例に係る制御を実行することは可能である。
【００６１】
なお、アドレススイッチング負荷検出手段５１は、例えば、ＡＳＩＣ（Application Specific Integrated Circuit）等の所定の電子回路として構成されてもよいし、ＭＰＵ（Micro Processing Unit）として実現されてもよい。なお、アドレススイッチング負荷検出手段の詳細な動作内容については、後述する。
【００６２】
隣接アドレスデータ間表示切替負荷検出手段５２は、隣接するアドレス電極Ａｊ−１，Ａｊ，Ａｊ＋１について、アドレスパルスのオン、オフが異なって出力される数がいくつあるかをカウントし、検出する手段である。図１０で説明したように、横帯パターンを表示する場合には、横方向のラインで点灯又は非点灯が同一種類となる。隣接アドレスデータ間表示切替負荷検出手段５２は、アドレスパルスの横方向の点灯・非点灯パターンに着目し、隣接するアドレスパルスでオンとオフが隣接して出力される個数を検出することにより、横方向の表示パターンが横帯パターン又はこれに近い表示パターンであるか否かを検出する。
【００６３】
図３は、千鳥の表示パターンを示した図である。図３において、各Ｙ電極Ｙ１，Ｙ２，Ｙ３のラインが、点灯と非点灯が交互に表示されている。この場合の表示パターンにおいて、各アドレス電極Ａ１〜Ａ８のオン、オフに着目すると、オン・オフが総てライン毎に切り替わっており、アドレススイッチング負荷検出手段５１のみによっては、この千鳥パターンと、横帯パターンの区別ができないことになる。よって、隣接アドレスデータ間表示切替負荷検出手段５２は、このような千鳥パターンと横帯パターンを区別し、正確に横帯パターンを検出する。
【００６４】
なお、隣接アドレス間表示負荷検出手段５２による検出は、オン、オフが隣接して出力される数が少ない方が、Ｙ電極駆動回路４０の負担及び発熱は大きくなる。また、隣接アドレス間表示負荷検出手段５２は、アドレススイッチング負荷検出手段５１と同様に、ＡＳＩＣ等の所定の電子回路や、ＭＰＵにより構成されてよい。アドレススイッチング負荷検出手段の詳細な動作内容については、後述する。
【００６５】
図１に戻り、他の構成要素を説明する。
【００６６】
サブフィールド数減少制御手段５４は、アドレススイッチング負荷検出手段５１及び隣接アドレスデータ間表示切替負荷検出手段５２により検出された結果に基づき、サブフィールド数を減少させる制御を行う手段である。つまり、画像が横帯パターン又はこれに近似するパターンであり、Ｙ駆動回路４０の発熱が高い状況にあると判定したときに、サブフィールド数を減少させ、Ｙ駆動回路４０の電流を減少させて発熱を防ぐ制御を実行する。サブフィールド数を減少させることにより、Ｙ駆動回路４０の出力電流を減少させることができ、Ｙ駆動回路４０の負担を減少させてその発熱を抑制することができる。よって、サブフィールド数減少制御手段５４は、そのような制御を実行し、Ｙ駆動回路４０の発熱を防ぐ。なお、サブフィールド数減少制御手段５４も、ＭＰＵ又はＡＳＩＣ等により構成されてよい。サブフィールド数減少制御手段５４で行う横帯パターン判定と制御内容の詳細は、後述する。
【００６７】
負荷比演算手段５３は、アドレススイッチング負荷検出手段５１で検出されたアドレススイッチング負荷（オン・オフ切替回数）と、隣接アドレスデータ間表示切替負荷検出手段５２で検出された隣接アドレスデータ間表示切替負荷（オン・オフ信号隣接数）との比率を演算する手段であり、必要に応じられて設けられてよい。上述のように、アドレススイッチング負荷は大きい方がＹ駆動回路４０の負担が大きくなり、隣接アドレスデータ間表示切替負荷は小さい方がＹ駆動回路４０の負担が大きくなる方向であるので、例えば、アドレススイッチング負荷で隣接アドレスデータ間表示切替負荷を除してその比率を求め、これが所定の負荷比閾値以下のときに、横帯パターン又はこれに近似する表示パターンであると判定するようにしてもよい。負荷比演算手段５３は、そのような制御を行うときに設けられる。
【００６８】
なお、図１においては、アドレススイッチング負荷検出手段５１と、隣接アドレスデータ間表示切替負荷検出手段５２と、サブフィールド数減少制御手段５４と、負荷比演算手段５３が制御回路５０内に設けられている例について説明したが、これらは単独として設けられてもよいし、他の駆動回路２０，３０、４０と制御回路５０が一体となって形成されている場合には、これに搭載して設けるようにしてもよい。これらの手段は、本実施例に係るプラズマディスプレイ装置の所望の位置に設けることができる。
【００６９】
次に、制御回路５０で行う通常のサブフィールド法の内容について説明する。
【００７０】
図４は、１フィールドとサブフィールドＳＦの対応関係を示した図である。図４（ａ）は、１フィールドを分割したサブフィールドＳＦを示した図である。図４（ａ）において、１フィールドの画像が、１０個のサブフィールドＳＦ１〜ＳＦ１０に分割されている。このように、本実施例に係るプラズマディスプレイパネル１０の駆動方法及びプラズマディスプレイ装置においては、１フィールドの画像を複数のサブフィールドＳＦに分割し、これにより階調表現を行うサブフィールド法を用いて、プラズマディスプレイパネル１０を駆動する。プラズマディスプレイパネル１０においては、２のべき乗による放電回数で階調表現を行うので、このようなサブフィールド法を用いる。図４（ａ）においては、１フィールドの画像を１／６０〔ｓｅｃ〕で受信し、これを１０個のサブフィールドＳＦ１〜ＳＦ１０で分割して階調表現を行った例が示されているが、これらは、例えば８サブフィールドで表現してもよく、用途に応じて種々の態様としてよい。
【００７１】
図４（ｂ）は、１サブフィールド内の各放電期間を示した図である。図４（ｂ）において、１つのサブフィールドＳＦは、リセット期間Ｔｒ、アドレス期間Ｔａ及びサステイン期間Ｔｓの３つの放電期間に分割されることが示されている。リセット期間Ｔｒにおいては、リセット放電により放電セルＣｉｊの壁電荷が初期化され、アドレス期間Ｔａにおいては、点灯セルの選択がアドレス放電によりなされ、サステイン期間Ｔｓにおいては、サステイン放電により放電セルＣｉｊの点灯が行われる。本実施例に係るプラズマディスプレイパネル１０の駆動方法及びプラズマディスプレイ装置においては、アドレス期間におけるアドレス放電の際の、Ｙ駆動回路４０の発熱を低減することを課題としている。
【００７２】
図５は、本実施例に係るプラズマディスプレイパネル１０の駆動方法及びプラズマディスプレイ装置における、１サブフィールドでの各電極へ印加する電圧波形を示した図である。図５（ａ）は、Ｘ電極Ｘｉに印加するＸサステインパルスの電圧波形を示した図である。図５（ｂ）は、Ｙ電極Ｙｉに印加するスキャンパルス及びＹサステインパルスの電圧波形を示した図である。図５（ｃ）は、アドレス電極Ａｊに印加するアドレスパルスの電圧波形を示した図である。
【００７３】
まず、リセット期間においては、Ｘ電極Ｘｉに印加される電圧が、Ｖｘｘ１から接地電位０〔Ｖ〕に下がるとともに、Ｙ電極Ｙｉに印加される電圧が、ＶｓからＶｓ＋Ｖｗへと増加させて強いリセット放電を発生させ、その後Ｘ電極Ｘｉに印加する電圧をＶｘｘ１に戻すとともに、Ｙ電極Ｙｉに印加する電圧を低下させてゆき、Ｙ電極Ｙｉに印加する電圧が（−Ｖｙ＋α）となったときに、Ｘ電極Ｘｉに印加する電圧をＶｘｘ２とする。
【００７４】
そして、リセット期間が終了したら、アドレス期間に入り、アドレス電極ＡｊにアドレスパルスＶａを印加するとともに、Ｙ電極Ｙｉにスキャンパルス−Ｖｙを印加し、点灯させる放電セルＣｉｊに、アドレス放電を発生させる。アドレスパルスＶａとスキャンパルス−Ｖｙが印加された放電セルＣｉｊは、アドレス電極ＡｊとＹ電極Ｙｉとの間の電位差がＶａ−（−Ｖｙ）＝Ｖａ＋Ｖｙとなり、アドレス放電が発生する。一方、アドレスパルスＶａが印加されず、スキャンパルス−Ｖｙのみが印加された場合には、両電極間の電位差はＶｙにしかならず、アドレス放電が発生しない。
【００７５】
図５においては、アドレスパルスＶａ及びスキャンパルス−Ｖｙは、各々１つずつしか示されていないが、同一のアドレス電極Ａｊと、順次スキャンするＹ電極Ｙｉの波形を示せば、アドレスパルスＶａ及びスキャンパルス（−Ｖｙ）が複数印加されることになる。
【００７６】
なお、アドレスパルスＶａは、時間の経過とともにオン・オフが切り替わる場合には、図５に示すように、パルス状（短い周期の方形波）の波形となるが、オン・オフが切り替わらずに連続する場合には、オンであれば電圧Ｖａの状態が継続し、オフの場合は接地電位０〔Ｖ〕の期間が継続して、長い周期の方形波の電圧波形を示す。従って、アドレス電極Ａｊの縦方向の点灯と非点灯の切り替わり回数は、同一のアドレス電極Ａｊで、オン・オフが切り替わる回数をカウントすることにより、フィールド画像が横帯パターン又は千鳥パターンであることを検出することができる。
【００７７】
また、画面の横方向については、図５のような電圧波形図を各々のアドレス電極Ａｊについて作成したときに、隣接するアドレス電極Ａｊ−１，Ａｊ，Ａｊ＋１間で、同じ時刻に出力されるアドレスパルスのオン・オフが異なっているものをカウントし、これをライン毎、１画面毎又は１フィールド毎に合計して検出すればよい。
【００７８】
このように、アドレスパルスＶａのオン・オフの時間変化及び横方向の配列パターンのオン・オフ隣接数を検出することにより、横帯パターンを適切に検出できることが分かる。
【００７９】
なお、図５において、サステイン期間においては、Ｘ電極ＸｉとＹ電極Ｙｉに交互に同じ電圧Ｖｓのサステインパルスが印加されることにより、サステイン放電が階調の重みに応じた回数分発生する。
【００８０】
なお、図５において、設定電圧の一例を挙げると、Ｖｓ＝１８５〔Ｖ〕、Ｖａ＝７５〔Ｖ〕、Ｖｗ＝１８０〔Ｖ〕、−Ｖｙ＝―１５０〔Ｖ〕、Ｖｘｘ１＝１３０〔Ｖ〕、Ｖｘｘ２＝１４０〔Ｖ〕及びα＝２０〔Ｖ〕のような値であってもよい。これらは、電圧設定の一例であって、用途に応じて、適宜適切な設定とすることができる。
【００８１】
次に、図６を用いて、本実施例に係るプラズマディスプレイパネル１０の駆動方法及プラズマディスプレイ装置のブロック構成及び動作について説明する。図６は、本実施例に係るプラズマディスプレイパネル１０の駆動方法及プラズマディスプレイ装置のブロック構成図である。
【００８２】
図６において、１フィールドの表示画像データが入力信号Ｓとして入力される。表示画像データは、制御回路５０に入力されてよい。
【００８３】
次に、入力された表示画像データから、アドレススイッチング負荷検出手段５１により、アドレススイッチング負荷が検出されるとともに、隣接アドレスデータ間表示切替負荷検出手段５２により、隣接アドレスデータ間表示切替負荷（隣接アドレスパルス間でオン・オフの異なる数）が検出される。
【００８４】
アドレススイッチング負荷検出手段５１によるアドレススイッチング負荷の検出は、各アドレス電極Ａｊについて、アドレスパルスのオン・オフの切り替わり回数がカウントされ、それらを全アドレス電極Ａｊについて、１フィールド等の所定単位で合計して検出するようにしてよい。これにより、１画面、１サブフィールド又は１フィールド等の所定単位におけるアドレスパルスの総オン・オフ切り替わり回数を検出できるので、正確な横帯パターン検出が可能となる。
【００８５】
また、隣接アドレスデータ間表示切替負荷検出手段５２による隣接アドレスデータ間表示切替負荷の検出は、同じラインに対して同じタイミングで出力されるアドレスパルスについて、隣接アドレスパルス間でオン・オフの異なる数が何個あるかをカウントし、これをアドレススイッチング負荷検出手段５１と同様の所定単位で合計して検出するようにしてよい。これにより、アドレススイッチング負荷検出手段５１による検出から、千鳥パターンのようにＹ駆動回路４０の発熱が少ないパターンを除外することができ、確実に横帯パターンを検出することができる。
【００８６】
サブフィールド数減少制御手段５４では、アドレススイッチング負荷検出手段５１で検出したアドレススイッチング負荷と隣接アドレスデータ間表示切替負荷検出手段５２で検出した隣接アドレスデータ間表示切替負荷に基づいて、表示画像データが横帯パターン又はこれに近似する画像パターンであると判定したときには、サブフィールド数を減少させる制御を行う。例えば、サブフィールド数減少制御手段５４が、アドレススイッチング負荷検出手段５１で検出したアドレススイッチング負荷と隣接アドレスデータ間表示切替負荷検出手段５２で検出した隣接アドレスデータ間表示切替負荷を参照し、所定の横帯パターン成立条件を満たしたときに、制御を実行するように構成してよい。
【００８７】
アドレススイッチング負荷については、これが増加する程横帯パターンに近付くので、所定の縦方向閾値を設定し、アドレススイッチング負荷が所定の縦方向閾値以上のときに、縦方向の横帯パターン成立条件を満たすものと判定する。なお、縦方向閾値は、特許請求の範囲の第１の閾値に相当するが、本実施例においては、縦方向閾値と呼ぶこととする。
【００８８】
縦方向閾値は、例えば、１フィールドで取り得る最大のアドレスパルスのオン・オフ切替回数の所定％の値、というように設定してもよい。一例を挙げると、横×縦が１２８０×１０８０画素のプラズマディスプレイパネル１０に対して、最大サブフィールド数を１１とすると、縦方向のスイッチング回数最大値は、（１）式のようになる。
【００８９】
【数１】
2009193019.tif 000003
例えば、サブフィールド数減少制御手段５４で、最大カウント数の３６％を超える度に１サブフィールドずつ削除して減少させてゆく、という制御を行うとすると、縦方向閾値は、（２）式のように算出される。
【００９０】
【数２】
2009193019.tif 000004
このように、１つの固定閾値ではなく、段階的に閾値を設定し、縦方向閾値を超える度に、徐々にサブフィールド数を減少させてゆく制御を実行するようにしてもよい。完全な横帯パターンのみを対象とするのではなく、これに表示パターンが近付いてゆく度にＹ駆動回路４０の発熱を抑制する制御を段階的に実行してゆくので、表示パターンとＹ駆動回路４０の発熱程度に応じた適切な発熱抑制制御が可能となる。
【００９１】
また、隣接アドレスデータ間表示切替負荷については、完全な横帯パターンのときには、隣接するアドレスパルスでオン・オフが異なるものが０の場合であり、このとき最もＹ駆動回路４０の発熱が大きい状態である。よって、隣接アドレスデータ間表示切替負荷が小さい程Ｙ駆動回路４０の発熱は増大するので、隣接アドレスデータ間表示切替負荷が所定の横方向閾値以下のときに、横帯パターン又はこれに近似する表示パターンであると判定するようにすればよい。なお、横方向閾値は、特許請求項の範囲の第２の閾値に相当するが、本実施例においては、横方向閾値と呼ぶこととする。
【００９２】
横方向閾値は、例えば、１フィールドで取り得る最大の隣接アドレスパルスのオン・オフが異なっている回数の所定％の値、というように設定してもよい。上述の、横×縦が１２８０×１０８０画素で最大サブフィールド数が１１のプラズマディスプレイパネル１０について考え、例えば２％以下のときに制御を実行する設定とすると、横方向閾値は、（３）式のようになる。
【００９３】
【数３】
2009193019.tif 000005
このように、縦方向閾値と横方向閾値を設定し、１フィールド等の所定単位において、アドレススイッチング負荷が所定の縦方向閾値以上、隣接アドレスデータ間表示切替負荷が所定の横方向閾値以下のときに、サブフィールドを減少させる制御を行うようにすれば、表示画像データが横帯パターン又はこれに近似する表示パターンであると判定されたときに、確実にＹ駆動回路４０の発熱を抑制する制御を実行することができる。
【００９４】
図７は、サブフィールド数減少制御手段５４で実行する、サブフィールド数を減少させる制御を説明するための図である。図７（ａ）は、サブフィールド減少前の１フィールド内のサブフィールドを示した図である。図７（ｂ）は、サブフィールド減少後の１フィールド内のサブフィールドを示した図である。
【００９５】
図７（ａ）において、１フィールドが１０個のサブフィールドＳＦ０〜ＳＦ９に分割されている。一方、図７（ｂ）においては、サブフィールド数が１つ減少して９個となり、サブフィールドＳＦ０〜ＳＦ８となっている。図７（ｂ）においては、サブフィールドＳＦ９が削除され、サブフィールドＳＦ９の輝度が、残りの各サブフィールドＳＦ０〜ＳＦ８に分配されている。このように、削除して減少させるサブフィールドＳＦ９の輝度を、残りのサブフィールドＳＦ０〜ＳＦ８に分配することにより、１フィールドの期間はそのままとし、かつ１フィールド全体の輝度を低下させずに、１フィールド内に輝度を略均等に分配することができる。サブフィールド数減少制御手段５４では、単純にサブフィールド数を減少させるのではなく、このように、削除したサブフィールドＳＦの輝度を残りのサブフィールドＳＦに分配するような制御を実行するようにしてもよい。これにより、表示画像に与える影響を少なくしつつＹ駆動回路４０の発熱を抑制する制御を実行することができる。
【００９６】
なお、サブフィールド数の減少は、図７においては、最も高次のＳＦ９を削除して減少させる制御例を示したが、低次のサブフィールドや中央次のサブフィールドを削除してもよく、用途に応じて、所望のサブフィールドＳＦを削除するように制御してよい。
【００９７】
次に、図８を用いて、図６のブロック構成とは異なるブロック構成の本実施例に係るプラズマディスプレイパネル１０の駆動方法及びプラズマディスプレイ装置について説明する。図８は、負荷比演算手段５３を備えた本実施例に係るプラズマディスプレイ装置の機能ブロック図である。
【００９８】
図８において、１フィールドの表示画像データが入力され、アドレススイッチング負荷検出手段５２でアドレススイッチング負荷を検出し、隣接アドレスデータ間表示切替負荷検出手段５３で隣接アドレスデータ間表示切替負荷を検出する点は、図６に係るプラズマディスプレイパネル１０の駆動方法及びプラズマディスプレイ装置の機能ブロック図と同様であるが、その後、アドレススイッチング負荷及び隣接アドレスデータ間表示切替負荷が負荷比演算手段５３に入力されている点が、図６に係るプラズマディスプレイパネル１０の駆動方法及びプラズマディスプレイ装置の機能ブロック図と異なっている。
【００９９】
このように、アドレススイッチング負荷検出手段５２で検出したアドレススイッチング負荷及び隣接アドレスデータ間表示切替負荷検出手段５３で検出した隣接アドレスデータ間表示切替負荷を、直接サブフィールド数減少制御手段５４に入力するのではなく、負荷比演算手段５３により、アドレススイッチング負荷と隣接アドレスデータ間表示切替負荷の負荷比を演算し、これに基づいてサブフィールド数減少制御手段５４が、表示画像データが横帯パターン又はこれに近似する表示パターンであるかを判定するようにしてもよい。上述のように、アドレススイッチング負荷は、スイッチング回数が増加する程Ｙ駆動回路４０の発熱が増加し、隣接アドレスデータ間表示切替負荷は、オン・オフの隣接個数が少ない程Ｙ駆動回路４０の発熱が増加する方向であるので、例えば負荷比演算手段５３において、隣接アドレスデータ間表示切替負荷をアドレススイッチング負荷で除し、それが所定の負荷比閾値以下となったときに、横帯パターンに該当すると判定してもよい。また逆に、アドレススイッチング負荷を隣接アドレスデータ間表示切替負荷で除し、これが所定の閾値以上のときに、横帯パターンに該当すると判定してもよい。
【０１００】
負荷比閾値は、例えば、上述の横方向閾値を縦方向閾値で除してこれを負荷比閾値とし、隣接アドレスデータ間表示切替負荷をアドレススイッチング負荷で除した負荷比が、負荷比閾値以下となったときに、横帯パターンと判定してもよい。また逆に、縦方向閾値を横方向閾値で除してこれを負荷比閾値とし、アドレススイッチング負荷を隣接アドレスデータ間表示切替負荷で除した負荷比が、負荷比閾値以上であったときに、横帯パターンと判定するようにしてもよい。
【０１０１】
このように構成することにより、サブフィールド数減少制御手段５４において、表示画像データが横帯パターン又はこれに近似する表示パターンであるか否かを判定するときに、２つの閾値ではなく、１つの閾値を用いて判定を行うことができ、判定演算を容易に行うことができる。
【０１０２】
なお、他の構成要素の機能及びサブフィールド数減少制御手段５４で実行する制御の内容は、図６における説明と同様であるので、これを省略する。
【０１０３】
以上、本発明の好ましい実施例について詳説したが、本発明は、上述した実施例に制限されることはなく、本発明の範囲を逸脱することなく、上述した実施例に種々の変形及び置換を加えることができる。
【図面の簡単な説明】
【０１０４】
【図１】本発明を適用した実施例に係るプラズマディスプレイ装置の全体構成図である。
【図２】プラズマディスプレイパネル１０の断面構成例を示した図である。
【図３】千鳥の表示パターンを示した図である。
【図４】１フィールドとサブフィールドＳＦの対応関係を示した図である。図４（ａ）は、１フィールドを分割したサブフィールドＳＦを示した図である。図４（ｂ）は、１サブフィールド内の各放電期間を示した図である。
【図５】本実施例に係るプラズマディスプレイパネル１０の駆動方法及びプラズマディスプレイ装置における各電極の電圧波形を示した図である。図５（ａ）は、Ｘ電極Ｘｉに印加する電圧波形を示した図である。図５（ｂ）は、Ｙ電極Ｙｉに印加する電圧波形を示した図である。図５（ｃ）は、アドレス電極Ａｊに印加する電圧波形を示した図である。
【図６】本実施例に係るプラズマディスプレイ装置のブロック構成図である。
【図７】サブフィールド数減少制御手段５４で実行する制御を説明するための図である。図７（ａ）は、サブフィールド減少前のサブフィールドを示した図である。図７（ｂ）は、サブフィールド減少後のサブフィールドを示した図である。
【図８】負荷比演算手段５３を備えた本実施例に係るプラズマディスプレイ装置の機能ブロック図である。
【図９】プラズマディスプレイパネル１０に表示された横帯パターンを示した図である。
【図１０】プラズマディスプレイパネル１０に横帯パターンが表示されたときのアドレス放電についての説明図である。
【図１１】プラズマディスプレイパネル１０を駆動させるための駆動回路の回路構成を示した図である。
【符号の説明】
【０１０５】
１０    プラズマディスプレイパネル
１１    前面基板
１２    前面ガラス基板
１３、１７    誘電体層
１４    保護膜
１５    背面基板
１６    背面ガラス基板
１８    隔壁（リブ）
１９、１９Ｒ、１９Ｇ、１９Ｂ    蛍光体
２０    アドレス駆動回路
３０    Ｘ駆動回路
４０    Ｙ駆動回路
４１    スキャンドライバ
４２    サステインドライバ
５０    制御回路
５１    アドレススイッチング負荷検出回路
５２    隣接アドレスデータ間表示切替負荷検出回路
５３    負荷比演算手段
５４    サブフィールド数減少制御手段
【図１】
2009193019.tif 000006
【図２】
2009193019.tif 000007
【図３】
2009193019.tif 000008
【図４】
2009193019.tif 000009
【図５】
2009193019.tif 000010
【図６】
2009193019.tif 000011
【図７】
2009193019.tif 000012
【図８】
2009193019.tif 000013
【図９】
2009193019.tif 000014
【図１０】
2009193019.tif 000015
【図１１】
2009193019.tif 000016